(57)【要約】【課題】コネクタの嵌合ロック構造においてフック部の長さを短くでき、解除操作も容易であり、ロック構造の小型化を図ることができる嵌合ロック構造の提供を目的とする。【解決手段】第１コネクタと第２コネクタとの相互の嵌合ロック構造であって、一方のコネクタは他方のコネクタに向けて突出したフック部を有し、前記フック部は先端側の係止爪部と、フック部の外側の側部から突設した解除操作突部とを有し、前記他方のコネクタは、前記フック部を挿入及びロックするための被係止孔部を有し、前記被係止孔部は前記一方のコネクタの係止爪部が係止するための被係止部と、被係止孔部の外側の側壁に沿って逃げ溝部とを有し、前記第１及び第２コネクタを嵌合すると前記解除操作突部が前記逃げ溝部に沿って入り込み、前記係止爪部が被係止部に係止し、嵌合状態がロックされることを特徴とする。【選択図】  図１
2017041377.tif 000002
【特許請求の範囲】
【請求項１】
第１コネクタと第２コネクタとの相互の嵌合ロック構造であって、
一方のコネクタは他方のコネクタに向けて突出したフック部を有し、
前記フック部は先端側の係止爪部と、フック部の外側の側部から突設した解除操作突部とを有し、
前記他方のコネクタは、前記フック部を挿入及びロックするための被係止孔部を有し、前記被係止孔部は前記一方のコネクタの係止爪部が係止するための被係止部と、被係止孔部の外側の側壁に沿って逃げ溝部とを有し、
前記第１及び第２コネクタを嵌合すると前記解除操作突部が前記逃げ溝部に沿って入り込み、前記係止爪部が被係止部に係止し、嵌合状態がロックされることを特徴とするコネクタの嵌合ロック構造。
【請求項２】
前記第１コネクタと第２コネクタとは左右又は上下に一対のロック部を有し、そのうち一方のロック部が前記嵌合ロック構造であり、他方のロック部が引き抜き解除可能なハーフロック構造であることを特徴とする請求項１記載のコネクタの嵌合ロック構造。
【発明の詳細な説明】
【技術分野】
【０００１】
本発明は、電気接続コネクタ間の嵌合ロック構造に関する。
【背景技術】
【０００２】
電気・電子機器に設けられたコネクタ部とのケーブル接続や、ケーブルの中継コネクタ等としてコネクタ同士を嵌合接続し、その状態をロックする嵌合ロック構造としては、例えば特許文献１に開示されているように、一方のコネクタに設けたフック形状のロック爪部を他方のコネクタに設けたロック孔に挿入し、その孔端部にこのロック爪部を係止させるものが知られている。
このような嵌合ロック構造にあっては、ロックを解除する際にロック爪部がロック孔溝部から外れるようにフック部を押圧操作しなければならないので、フック部の嵌合長を長くせざるを得なかった。
また、ロック爪部をてこ式に解除するレバー型のものも知られているが、レバー部が長くないと解除が困難であり、その操作スペースも必要となる。
【先行技術文献】
【特許文献】
【０００３】
【特許文献１】特開２０１１−８６５１１号公報
【発明の概要】
【発明が解決しようとする課題】
【０００４】
本発明は、コネクタの嵌合ロック構造においてフック部の長さを短くでき、解除操作も容易であり、ロック構造の小型化を図ることができる嵌合ロック構造の提供を目的とする。
【課題を解決するための手段】
【０００５】
本発明は、第１コネクタと第２コネクタとの相互の嵌合ロック構造であって、一方のコネクタは他方のコネクタに向けて突出したフック部を有し、前記フック部は先端側の係止爪部と、フック部の外側の側部から突設した解除操作突部とを有し、前記他方のコネクタは、前記フック部を挿入及びロックするための被係止孔部を有し、前記被係止孔部は前記一方のコネクタの係止爪部が係止するための被係止部と、被係止孔部の外側の側壁に沿って逃げ溝部とを有し、前記第１及び第２コネクタを嵌合すると前記解除操作突部が前記逃げ溝部に沿って入り込み、前記係止爪部が被係止部に係止し、嵌合状態がロックされることを特徴とする。
【０００６】
ここでフック部とは、例えば一方のコネクタのハウジングの側部から嵌合方向にフック状に突出させ、その先端先に係止爪部を形成したものが例として挙げられる。
被係止孔部とは、上記一方のコネクタに嵌合接続される他方のコネクタに設けられたものであり、例えばコネクタハウジングの側部等にフック部の係止爪部が内側に弾性変形しながら挿通できる孔形状部を形成した例が挙げられる。
ここで被係止孔は、両側の端部が開口しており、一方の開口部からフック部を弾性変形させながら挿入すると、係止爪部が他方の開口部の端部に係止するように弾性復帰することでロック状態になる。
このフック部を挿入する際に、ロック解除するための解除操作突部が被係止孔部側壁に干渉しないように被係止孔部側に逃げ溝部を形成した点に本発明の特徴がある。
本明細書では、係止爪部の爪が突設されている側を外側と表現する。
【０００７】
一対のコネクタ間の嵌合ロック状態を安定させるためには、第１コネクタと第２コネクタとは左右又は上下に一対のロック部を有し、そのうち一方のロック部が前記嵌合ロック構造であり、他方のロック部が引き抜き解除可能なハーフロック構造であるようにしてもよい。
ここで嵌合ロック構造と表現したロック部は、請求項１記載の解除操作突部を有するロック部を意味し、フック部を内側に押圧しないと係止爪部が被係止部から外れないように爪部の係止側の角度が鋭角である。
一方、ハーフロック構造と表現したフック部の係止爪部の爪部の係止側の角度は、直角又はそれに近い鈍角であり強めに引くと係止が外れるものである。
このようにすると、一方のロック部の解除操作突部を押圧解除するだけでコネクタを取り外すことができるので、解除操作が容易になる。
【発明の効果】
【０００８】
本発明に係るコネクタの嵌合ロック構造にあっては、一方のコネクタのフック部に設けた、ロックを解除するための解除操作突部が相手側のコネクタの被係止孔部に設けた逃げ溝部に沿って入り込むので、それだけフック部の嵌合長を短くすることができ、コンパクトなコネクタにすることができる。
また、ロックを解除するには、解除操作突部の先端部をドライバー等の一般工具にて押圧すればよく、操作スペースを小さくすることができる。
【図面の簡単な説明】
【０００９】
【図１】本発明に係るコネクタの嵌合ロック構造例を示す。（ａ）は嵌合前、（ｂ）は嵌合後、（ｃ）〜（ｄ）は要部拡大図を示す。
【図２】嵌合状態を図１の反対側から見た図を示し、（ａ）は嵌合状態、（ｂ）は嵌合前を示す。
【図３】コネクタの嵌合面を（ａ），（ｂ）対向して示す。
【図４】（ａ）は嵌合前の平面図、（ｂ）は嵌合後の平面図を示し、（ｃ），（ｄ）は要部拡大図を示す。
【図５】（ａ），（ｂ）はロックを解除する状態を示す。（ｃ），（ｄ）要部拡大図を示す。
【発明を実施するための形態】
【００１０】
本発明に係るコネクタの嵌合ロック構造例を以下図面に基づいて説明するが、本発明はこの実施例に限定されない。
【００１１】
図１は、第１コネクタ１０にケーブル接続した第２コネクタ２０を嵌合接続する例を示す。
第１コネクタ１０は、例えば太陽光発電システムに用いられるパワーコンデショナー等に設けられたコネクタ部の例を示し、基部１４を機器の側面に取り付け、端子１５を用いて内部回路と接続されている。
嵌合凹部１２には、図３（ｂ）に示すようにプラグ端子１２ａが設けられている。
第２コネクタ２０は、ケーブル接続されたコネクタの例であり、嵌合凸部２２とその外周部に第１コネクタ１０との嵌合部をシールするＯリング２４を取り付けた例となっている。
嵌合凸部には、図３（ａ）に示すようにソケット端子２２ａが設けられている。
【００１２】
図１〜図４に示すように第２コネクタ２０は、第２ハウジング２１の両側の側部からフック部２３，１２３が嵌合方向に向けて突出させてある。
そのうち一方のフック部２３は、先端側に外側方向の係止爪部２３ａを形成するとともに、フック部２３の外側の側部であって係止爪部２３ａ寄りに、外側方向に突出した解除操作突部２３ｂを有する。
解除操作突部２３ｂの先端部は、図４に示したロック状態の解除操作時にドライバーの先が当接しやすいように傾斜させた傾斜平面部２３ｃとなっている。
なお、他方の側面のフック部１２３は、図２に示すように先端部に係止爪部１２３ａを有するが、引き抜き方向に第２コネクタ２０を強めに引き離すと、係止状態が外れるハーフロックタイプになっている。
【００１３】
第１コネクタ１０は、第２コネクタのフック部に対応して、両側の側部に孔形状が概ね長方形の被係止孔部１３，１１３を形成してあり、一方の被係止孔部１３はフック部２３に対応させて被係止部１３ａの他に外側の側壁に逃げ溝部１３ｂを形成し、この部分に解除操作突部２３ｂが入り込み、孔側壁と干渉しないようになっている。
この逃げ溝部１３ｂの深さｄは、フック部のロックを解除する際の押圧力と、被係止孔部の係止強度を考慮して設定される。
なお、他方の被係止孔部１１３は、図２に示すようにハーフロックタイプのフック部１２３に対応して、逃げ溝部は形成されていない。
【００１４】
図５に嵌合ロック状態を解除する方法例を示す。
解除操作突部２３ｂの先端部の傾斜平面部２３ｃに、例えばドライバー１の先端を押し付け、係止爪部２３ａを被係止孔部の被係止部１３ａから外す。
この状態で第２コネクタ２０を離間させると、他方のフック部１２３がハーフロック構造になっているので、そのままロック状態を解除し、第２コネクタ２０を取り外すことができる。
本発明にあっては、解除操作突部２３ｂを被係止孔部の逃げ溝部１３ｂに入り込ませた分だけ、フック部２３の押圧力を小さくすることができる。
【符号の説明】
【００１５】
１０      第１コネクタ
１１      第１ハウジング
１２      嵌合凹部
１３      被係止孔部
１３ａ    被係止部
１３ｂ    逃げ溝部
２０      第２コネクタ
２１      第２ハウジング
２２      嵌合凸部
２３      フック部
２３ａ    係止爪部
２３ｂ    解除操作突部
【図１】
2017041377.tif 000003
【図２】
2017041377.tif 000004
【図３】
2017041377.tif 000005
【図４】
2017041377.tif 000006
【図５】
2017041377.tif 000007